(57)【要約】【課題】無線通信システムにおいて、コストアップすることなく簡単な操作によって、機器同士を接続認証できる。【解決手段】デジタルカメラ２０は、デジタルカメラ２０を固有に識別可能なユニークパターンを生成する生成部と、ユニークパターンを出力する報知部と、無線通信を行う通信部とを備える。プリンタ３０は、ユニークパターンの入力を受け付ける入力部と、ユニークパターンに基づいてデジタルカメラ２０の接続認証を行う認証部と、無線通信を行う通信部と、を備える。プリンタ３０がユニークパターンに基づいてデジタルカメラ２０を接続認証すると、無線通信が開始される。【選択図】図１
2007249425.tif 000002
【特許請求の範囲】
【請求項１】
第一通信装置と第二通信装置との間で無線通信を行うための接続認証システムであって、
前記第一通信装置は、
前記第一通信装置を固有に識別可能なユニークパターンを生成する生成手段と、
前記第二通信装置との間の無線通信とは異なる用途に使用され、ユーザに対する情報提示またはユーザの注意を喚起するための報知手段であって、前記ユニークパターンを出力可能な報知手段と、
前記第二通信装置との間で無線通信を行う第一通信手段と、を備え、
前記第二通信装置は、
前記ユニークパターンの入力を受け付ける入力手段と、
前記ユニークパターンに基づいて前記第一通信装置の接続認証を行う認証手段と、
前記第一通信装置との間で無線通信を行う第二通信手段と、を備え、
前記第二通信装置の認証手段が、前記第一通信装置の報知手段から出力される前記ユニークパターンを用いて前記第一通信装置を接続認証すると、前記第一通信手段及び前記第二通信手段との間で無線通信が開始される、
ことを特徴とする接続認証システム。
【請求項２】
前記第一通信装置は、画像データを無線送信するカメラ付き携帯端末装置、又は撮像装置であり、
前記第二通信装置は、前記画像データを印刷する画像プリント装置又は前記画像データを格納する画像データ記憶装置である、
ことを特徴とする請求項１に記載の接続認証システム。
【請求項３】
他の通信装置との間で無線通信を行う通信装置であって、
前記通信装置を固有に識別可能なユニークパターンを生成する生成手段と、
前記他の通信装置との間の無線通信とは異なる用途に使用され、ユーザに対する情報提示またはユーザの注意を喚起するための報知手段であって、前記ユニークパターンを出力可能な報知手段と、
前記ユニークパターンに基づく接続認証がされると、前記他の通信装置との間で無線通信を行う通信手段と、
を備えることを特徴とする通信装置。
【請求項４】
前記生成手段は、前記ユニークパターンとして所定の点滅パターンを生成し、
前記報知手段は、前記点滅パターンに基づいて可視光を発光させる発光装置である、
ことを特徴とする請求項３に記載の通信装置。
【請求項５】
前記通信装置は、バックライトを備えた液晶モニタ又は発光ダイオードを備え、
前記発光装置は、前記バックライト又は発光ダイオードである、
ことを特徴とする請求項４に記載の通信装置。
【請求項６】
前記生成手段は、前記ユニークパターンとして所定の音声パターンを生成し、
前記報知手段は、前記音声パターンに基づく音声を発生させる音声発生装置である、
ことを特徴とする請求項３に記載の通信装置。
【請求項７】
前記生成手段は、前記ユニークパターンとして所定の振動パターンを生成し、
前記報知手段は、前記振動パターンに基づく機械的な振動を発生させる振動装置である、
ことを特徴とする請求項３に記載の通信装置。
【請求項８】
前記ユニークパターンは、前記通信装置のＩＰアドレス、ＭＡＣアドレス、又はシリアル番号のいずれかに対応する信号である、
ことを特徴とする請求項３乃至７のいずれかに記載の通信装置。
【請求項９】
前記通信装置は、画像データを無線通信可能なカメラ付き携帯端末装置又は撮像装置である、ことを特徴とする請求項３乃至８のいずれかに記載の通信装置。
【請求項１０】
通信装置を固有に識別可能なユニークパターンを出力する他の通信装置との間で無線通信を行う通信装置であって、
前記ユニークパターンの入力を受け付ける入力手段と、
前記ユニークパターンに基づいて前記他の通信装置の接続認証を行う認証手段と、
前記接続認証がされると、前記他の通信装置との間で無線通信を行う通信手段と、
を備えることを特徴とする通信装置。
【請求項１１】
前記他の通信装置は、所定の点滅パターンで発光する可視光を出力し、
前記入力手段は、前記可視光を受光する受光手段である、
ことを特徴とする請求項１０に記載の通信装置。
【請求項１２】
前記他の通信装置は、所定の音声パターンに基づく音声を発生し、
前記入力手段は、前記音声を入力するためのマイクである、
ことを特徴とする請求項１０に記載の通信装置。
【請求項１３】
前記マイクから入力された音声に対してフーリエ変換処理を行い、固有の識別情報を抽出する抽出手段を更に備える、
ことを特徴とする請求項１２に記載の通信装置。
【請求項１４】
前記他の通信装置は、所定の振動パターンに基づく機械的な振動を発生し、
前記入力手段は、前記振動を感知するショックセンサーである、
ことを特徴とする請求項１０に記載の通信装置。
【請求項１５】
請求項３乃至１４のいずれかに記載の通信装置を備えたことを特徴とする画像プリント装置又は画像データ記憶装置。
【請求項１６】
他の通信装置との間の無線通信とは異なる用途に使用され、ユーザに対する情報提示またはユーザの注意を喚起するための報知手段を備えた通信装置の制御プログラムであって、
前記通信装置を固有に識別可能なユニークパターンを生成するステップと、
前記報知手段から、前記ユニークパターンを出力させるステップと、
をコンピュータに実行させることを特徴とする通信装置の制御プログラム。
【請求項１７】
第一通信装置と第二通信装置との間で無線通信を行うための接続認証方法であって、
前記第一通信装置が、前記第一通信装置を固有に識別可能なユニークパターンを生成するステップと、
前記第二通信装置との間の無線通信とは異なる用途に使用され、ユーザに対する情報提示またはユーザの注意を喚起するための報知手段に対し、前記ユニークパターンを出力させるステップと、
前記第二通信装置が、前記ユニークパターンの入力を受け付けるステップと、
前記ユニークパターンに基づいて前記第一通信装置の接続認証を行うステップと、
前記第一通信装置及び前記第二通信装置との間で無線通信を行うステップと、
を含むことを特徴とする接続認証方法。
【発明の詳細な説明】
【技術分野】
【０００１】
本発明は、接続認証システム、通信装置、画像プリント装置又は画像データ記憶装置、制御プログラム、及び接続認証方法に係り、特に、無線通信システムにおいて、コストアップすることなく簡単な操作によって、機器同士を接続認証できる技術に関する。
【背景技術】
【０００２】
従来、無線LANやBluetooth等を用いてワイヤレス通信する場合、通信相手を特定し、接続して通信するための認識動作が必要である。
【０００３】
従来技術では近距離通信が可能なNFC（Near Field Communication）やRFID(Radio Frequency IdentＩ／Ｆication)等に接続情報を持たせ、機器同士を近接させ通信させることで接続の認証を行なっている。
【０００４】
また、従来技術では複数の通信装置（近距離通信専用、遠距離通信専用）を搭載している事が前提であり、近距離用通信装置は接続認証用、遠距離通信用通信装置は大容量データ転送用である（特許文献1参照）。
【特許文献１】特開２００４−３６４１４５号公報
【発明の開示】
【発明が解決しようとする課題】
【０００５】
しかし、上記の技術の実現のためには、接続認証用に近距離専用の通信ハードウエア／ソフトウエアを搭載する必要があり、コスト、開発負荷がかかるという問題があった。また、接続認証する為の煩雑な操作（IrDA（Infrared Data Association）、QRコード(Quick Response Code)、釦操作）が必要であるという問題があった。
【０００６】
本発明は、上記問題に鑑みてなされたものであり、無線通信システムにおいて、コストアップすることなく簡単な操作によって、機器同士を接続認証できる接続認証システム、通信装置、画像プリント装置又は画像データ記憶装置、制御プログラム及び接続認証方法を提供することを目的とする。
【課題を解決するための手段】
【０００７】
上記目的を達成するために、本発明に係る接続認証システムは、第一通信装置と第二通信装置との間で無線通信を行うための接続認証システムであって、前記第一通信装置は、前記第一通信装置を固有に識別可能なユニークパターンを生成する生成手段と、前記第二通信装置との間の無線通信とは異なる用途に使用され、ユーザに対する情報提示またはユーザの注意を喚起するための報知手段であって、前記ユニークパターンを出力可能な報知手段と、前記第二通信装置との間で無線通信を行う第一通信手段と、を備え前記第二通信装置は、前記ユニークパターンの入力を受け付ける入力手段と、前記ユニークパターンに基づいて前記第一通信装置の接続認証を行う認証手段と、前記第一通信装置との間で無線通信を行う第二通信手段と、を備え、前記第二通信装置の認証手段が、前記第一通信装置の報知手段から出力される前記ユニークパターンを用いて前記第一通信装置を接続認証すると、前記第一通信手段及び前記第二通信手段との間で無線通信が開始される。
【０００８】
これにより、接続認証用の装置を備えることなく、報知手段によりその機能を代行させることができ、コストアップすることなく簡単な操作によって、機器同士を接続認証できる。
【０００９】
また、前記第一通信装置は、画像データを無線送信するカメラ付き携帯端末装置、又は撮像装置であり、前記第二通信装置は、前記画像データを印刷する画像プリント装置又は前記画像データを格納する画像データ記憶装置であってもよい。
【００１０】
これにより、画像データを無線送信するカメラ付き携帯端末装置又は撮像装置と、画像データを印刷する画像プリント装置又は画像データを格納する画像データ記憶装置との間の無線通信においても、接続認証用の装置を備えることなく報知手段を用いて接続認証を行うことができる。
【００１１】
また、本発明に係る通信装置は、他の通信装置との間で無線通信を行う通信装置であって、前記通信装置を固有に識別可能なユニークパターンを生成する生成手段と、前記他の通信装置との間の無線通信とは異なる用途に使用され、ユーザに対する情報提示またはユーザの注意を喚起するための報知手段であって、前記ユニークパターンを出力可能な報知手段と、前記ユニークパターンに基づく接続認証がされると、前記他の通信装置との間で無線通信を行う通信手段と、を備える。
【００１２】
これにより、接続認証用の装置を備えることなく、報知手段によりその機能を代行させることができ、コストアップすることなく簡単な操作によって、機器同士を接続認証できる。
【００１３】
また、前記生成手段は、前記ユニークパターンとして所定の点滅パターンを生成し、前記報知手段は、前記点滅パターンに基づいて可視光を発光させる発光装置であってもよい。
【００１４】
これにより、所定の点滅パターンによって、機器同士の接続認証を実施できる。
【００１５】
また、前記通信装置は、バックライトを備えた液晶モニタ又は発光ダイオードを備え、前記発光装置は、前記バックライト又は発光ダイオードであってもよい。
【００１６】
これにより、通信装置に既存のバックライトを備えた液晶モニタ又は発光ダイオードを利用して点滅パターンを出力することができる。
【００１７】
また、前記生成手段は、前記ユニークパターンとして所定の音声パターンを生成し、前記報知手段は、前記音声パターンに基づく音声を発生させる音声発生装置であってもよい。
【００１８】
これにより、ユニークパターンとして音声パターンを生成でき、音声発生装置によってその音声を発生させることにより、機器同士の接続認証を実施できる。
【００１９】
また、前記生成手段は、前記ユニークパターンとして所定の振動パターンを生成し、前記報知手段は、前記振動パターンに基づく機械的な振動を発生させる振動装置であってもよい。
【００２０】
これにより、ユニークパターンとしての振動パターンを生成でき、振動装置によって振動を発生させることにより、機器同士の接続認証を実施できる。
【００２１】
また、前記ユニークパターンは、前記通信装置のＩＰアドレス、ＭＡＣアドレス、又はシリアル番号のいずれかに対応する信号であってもよい。
【００２２】
これにより、ユニークパターンは通信装置に固有の識別情報を含むことができ、接続認証の対象となる通信相手を特定することができる。
【００２３】
また、前記通信装置は、画像データを無線通信可能なカメラ付き携帯端末装置又は撮像装置であってもよい。
【００２４】
また、本発明に係る通信装置は、通信装置を固有に識別可能なユニークパターンを出力する他の通信装置との間で無線通信を行う通信装置であって、前記ユニークパターンの入力を受け付ける入力手段と、前記ユニークパターンに基づいて前記他の通信装置の接続認証を行う認証手段と、前記接続認証がされると、前記他の通信装置との間で無線通信を行う通信手段と、を備える。
【００２５】
これにより、通信装置を固有に識別可能なユニークパターンを取得し、そのユニークパターンを出力した他の通信装置を接続認証することができる。
【００２６】
また、前記他の通信装置は、所定の点滅パターンで発光する可視光を出力し、前記入力手段は、前記可視光を受光する受光手段であってもよい。
【００２７】
これにより、ユニークパターンとして可視光の点滅パターンを出力でき、その点滅パターンを受光することにより、接続認証を実施できる。
【００２８】
また、前記他の通信装置は、所定の音声パターンに基づく音声を発生し、前記入力手段は、前記音声を入力するためのマイクであってもよい。
【００２９】
これにより、ユニークパターンとしての音声パターンを発生でき、マイクによってその音声を入力することにより、接続認証を実施できる。
【００３０】
また、前記マイクから入力された音声に対してフーリエ変換処理を行い、固有の識別情報を抽出する抽出手段を更に備えてもよい。
【００３１】
これにより、音声の周波数成分を算出することができ、その算出された周波数成分に基づいて接続認証を実施できる。また、ユニークパターンを聴覚できいただけでは判別できないように秘匿することができる。
【００３２】
また、前記他の通信装置は、所定の振動パターンに基づく機械的な振動を発生し、前記入力手段は、前記振動を感知するショックセンサーであってもよい。
【００３３】
これにより、ユニークパターンとして振動パターンを発生でき、ショックセンサーによってその振動を感知することにより、接続認証を実施できる。
【００３４】
また、本発明に係る画像プリント装置又は画像データ記憶装置は、請求項３乃至１４のいずれかに記載の通信装置を備える。
【００３５】
これにより、画像プリント装置又は画像データ記憶装置は、無線通信を行う他の通信装置から出力されたユニークパターンを用いて、他の通信装置を接続認証できる。
【００３６】
また、本発明に係る制御プログラムは、他の通信装置との間の無線通信とは異なる用途に使用され、ユーザに対する情報提示またはユーザの注意を喚起するための報知手段を備えた通信装置の制御プログラムであって、前記通信装置を固有に識別可能なユニークパターンを生成するステップと、前記報知手段から、前記ユニークパターンを出力させるステップと、をコンピュータに実行させる。
【００３７】
これにより、他の通信装置との間の無線通信とは異なる用途に使用され、ユーザに対する情報提示またはユーザの注意を喚起するための報知手段を用いて、通信装置を固有に識別可能なユニークパターンを生成でき、生成されたユニークパターンを出力できる。
【００３８】
また、第一通信装置と第二通信装置との間で無線通信を行うための接続認証方法であって、前記第一通信装置が、前記第一通信装置を固有に識別可能なユニークパターンを生成するステップと、前記第二通信装置との間の無線通信とは異なる用途に使用され、ユーザに対する情報提示またはユーザの注意を喚起するための報知手段に対し、前記ユニークパターンを出力させるステップと、前記第二通信装置が、前記ユニークパターンの入力を受け付けるステップと、前記ユニークパターンに基づいて前記第一通信装置の接続認証を行うステップと、前記第一通信装置及び前記第二通信装置との間で無線通信を行うステップと、を含む。
【００３９】
これにより、接続認証用の装置を備えることなく、報知手段によりその機能を代行させることができ、コストアップすることなく簡単な操作によって、機器同士を接続認証できる。
【発明の効果】
【００４０】
本発明によれば、無線通信システムにおいて、既存の報知手段を接続認証用装置として代用することにより部品点数を減らすことができ、コストアップすることなく簡単な操作によって、機器同士を接続認証できる。
【発明を実施するための最良の形態】
【００４１】
以下、添付図面に従って、本発明に係る接続認証システム、接続認証制御プログラム、通信装置、及び受信装置の好ましい実施の形態について詳説する。なお、発明の実施の形態を説明するための全図において、同一機能を有するものは同一符号を付け、その繰り返しの説明は省略する。
【００４２】
＜第一実施形態＞
第一実施形態は、ユーザの視覚を通じて情報提供をしたり注意を喚起したりする報知手段、例えば液晶モニタのバックライトやＬＥＤなどを用いて接続認証を行う実施態様である。
【００４３】
[システムの概略構成]
図１は、本発明を適用した無線通信システム１０のハードウエア構成を示す構成図である。無線通信システム１０は、無線通信機能を有する第一通信装置２０と、通信装置２０に接続して無線通信を行う第二通信装置３０とにより構成され、これらの装置間で無線通信を行うための接続認証システムを備える。
【００４４】
第一通信装置２０は、画像データを無線送信するカメラ付き携帯端末装置（携帯電話、ＰＤＡなど）でもよいし、画像データを無線送信する撮像装置（デジタルスチルカメラなど）でもよい。第二通信装置３０は、画像データを印刷する画像プリント装置でもよいし、電子アルバムなどの画像データを格納する画像データ記憶装置でもよい。
【００４５】
本実施形態では、第一通信装置２０としてデジタルカメラ２０、第二通信装置３０としてプリンタ３０を用いた場合について説明する。
【００４６】
デジタルカメラ２０は、図２に示すように、デジタルカメラ２０の背面に発光装置としてバックライト５１ｂを備えた液晶モニタ（以下、「ＬＣＤ」という）５１、及び発光ダイオード（以下、「ＬＥＤ」という）５２を有する。ＬＣＤ５１のバックライト５１ｂ、ＬＥＤ５２は、デジタルカメラ２０を固有に識別可能な点滅パターンに基づいて発光する。
【００４７】
次に、図３に基づいて、デジタルカメラ２０のハードウエア構成について説明する。図３は、デジタルカメラ２０の構成を示すブロック図である。デジタルカメラ２０は、撮像部２１と、制御部（CPU/画像処理部）２２と、外部Ｉ／Ｆ部２３と、記録媒体２４と、液晶パネル５１ａとバックライト５１ｂとを積層させて構成するＬＣＤ５１と、電源部２６と、メモリ部（ROM/RAM）２７と、操作部２８と、通信部２９と、を備える。
【００４８】
撮像部２１は、CCD/CMOS等の画像エリアセンサ及びレンズを含む光学ユニットから構成され、撮影された画像データは制御部２２の画像処理部に送られる。
【００４９】
制御部（CPU/画像処理部）２２は、デジタルカメラ２０の各種制御を行なうCPUをコアとし、撮像部２１からの画像データや記録媒体２４からの画像データを各種画像処理/変換し、表示用データや記録用データを生成する。
【００５０】
外部Ｉ／Ｆ部２３は、図示しないPCやプリンタ３０などの周辺機器に接続するものであり、各種通信や画像データの送受信を行なう外部制御可能な外部Ｉ／Ｆ（USB、IEEE1394、SCSI、LAN、IrDA、Bluetooth、W-LAN、W-USB、etc）である。
【００５１】
記録媒体２４は、取り外し可能な画像記録用のメディアまたはデジタルカメラ２０内に組み込まれた画像記録用メディアでメモリ、HDD、DVDなどの書込み消去可能な大容量のストレージである。記録媒体２４には、撮影され、画像処理された画像データが格納される。
【００５２】
表示部２５は、視覚を通じてユーザに対し情報提示をしたり、ユーザの注意を喚起したりする部材が含まれる。具体的には、表示部２５は、記録画像やムービー画像、操作する上でのメニューやキャラクタの表示、機器の電源ON/OFF状態を表示する部分である。表示部２５は、図示しない液晶モニタとバックライト５１ｂとを積層させて構成したＬＣＤ５１や、アラートや電源のＯＮ／ＯＦＦ状態などをユーザに知らせるためのＬＥＤ５２等が含まれる。
【００５３】
ＬＣＤ５１のバックライト５１ｂ、ＬＥＤ５２は低消費電力化の為、マイコン等により制御されてある点滅パターンの下、ダイナミック点灯（例えば１０Ｈｚ）している。この点滅パターンをデジタルカメラ２０を固有に識別するための情報、例えば、ＩＰアドレス、ＭＡＣアドレス、シリアル番号などと対応させることにより、ユニークパターンを出力することができる。
【００５４】
点滅パターンは、ソフトウエアを変更することにより、個々の機器で異なるパターンを生成することができる。すなわち、従来からデジタルカメラ２０に搭載されたバックライト５１ｂやＬＥＤ５２をダイナミック点灯させるための制御プログラムを、後述の制御プログラムに更新することで、接続認証に用いられる点滅パターンを生成でき、点滅する可視光を出力できる。
【００５５】
電源部２６は、バッテリーや外部電源とのＩ／Ｆを持ち、各ブロックのデバイスに所望の電圧を供給する。
【００５６】
メモリ部（ROM/RAM）２７は、デジタルカメラ２０の制御プログラムを格納するROM、制御部がワーク用/画像データ格納用に使用するRAMで構成される。
【００５７】
操作部２８は、KEY、タッチパネル、等のユーザＩ／Ｆで構成される。操作部２８によって入力された信号は制御部２２に送られる。この操作部２８の状態によって、デジカメの動作、モードが設定され制御される。
【００５８】
通信部２９は、遠距離用通信装置であって、画像データなどの容量が大きなデータを無線通信するための装置である。
【００５９】
次に、図４に基づいて、プリンタ３０のハードウエア構成について説明する。図３は、プリンタ３０の構成を示すブロック図である。
【００６０】
プリンタ３０は、制御部３１と、電源部３２と、外部Ｉ／Ｆ部３３と、表示部３４と、印画部３５と、駆動部３６と、メモリ部（ROM/RAM）３７と、操作部３８と、記録媒体３９と、入力Ｉ／Ｆ部４０と、通信部４１と、を備える。
【００６１】
制御部３１は、プリンタ３０を動作させる為の制御基板であり、ＣＰＵ、各種メモリ、プリコン、駆動系ドライバＩＣ、各種センサＩ／Ｆから構成される。
【００６２】
電源部３２は、プリンタ動作に必要な電源を供給するユニットであり、ＡＣ電源から、プリンタ３０内部で必要とされる各種ＤＣ電源に変換し、各ブロックに電圧を供給する。
【００６３】
外部Ｉ／Ｆ部３３は、ホスト（ＰＣ、コントローラ、etc）と接続し、外部制御を可能とするための外部Ｉ／Ｆ（USB、IEEE1394、SCSI、LAN、IrDA、Bluetooth、etc）である。なお、プリンタ３０は単独での動作も可能である。
【００６４】
表示部３４は、視覚を通じてユーザに対し情報提示をしたり、ユーザの注意を喚起したりする部材が含まれる。例えば、印刷画像の表示、操作する上でのメニューやキャラクタの表示、機器の電源ON/OFF状態を表示する部材があり、LCDやＬＥＤ等で構成される。
【００６５】
印画部３５は、プリンタ印画用のヘッドと基板、ヒートシンク等で構成される。駆動部３６は、内部機構駆動用、印画ペーパー搬送用の為、ステッピングモーター、ＤＣモーター等により構成される。
【００６６】
メモリ部（ROM/RAM）３７は、プリンタ３０の制御プログラムを格納するROM、制御部３１がワーク用/画像データ格納用に使用するRAMで構成される。操作部３８は、KEY、タッチパネル、等のユーザ/Fで構成される。操作部３８により、入力された信号は制御部３１のCPUに送られる。この操作部３８の状態によって、プリンタ３０の動作、モードが設定され制御される。
【００６７】
記録媒体３９は、取り外し可能な画像記録用のメディアまたはプリンタ内に組み込まれた画像記録用メディアでメモリ、HDD、DVDなどの書込み消去可能な大容量のストレージである。記録媒体３９には、撮影され、画像処理された画像データが格納される。
【００６８】
入力Ｉ／Ｆ部４０は、可視光を受光するフォトトランジスタにより構成され、他機器（例えばデジタルカメラ２０）からの点滅パターンを検出し、接続認証する。フォトトランジスタは、通信プロトコル情報を制御部３１に入力する。
【００６９】
通信部４１は、遠距離用通信装置であって、画像データなどの容量が大きなデータを無線通信するための装置である。
【００７０】
次に、図５に基づいて、デジタルカメラ２０の発光回路及びプリンタ３０の受光回路の構成について説明する。図５は、デジタルカメラ２０の発光回路及びプリンタ３０の受光回路の構成について説明する模式図である。図５（ａ）は、デジタルカメラ２０のＬＥＤ５２を利用した発光回路の例を示す回路構成図である。なお、ここでは、ＬＥＤ５２について説明するが、バックライト５１ｂについても同様の回路構成を適用できる。
【００７１】
図５（ａ）では、デジタルカメラ２０に内蔵されている制御部（マイコン）２２、電源部２６、ＬＥＤ５２、及び各種抵抗が接続されている。ＬＥＤ５２には、電源部２６から電圧が印加される。制御部２２は、ポートＡから例えば図６に示す点滅パターン（１）５３、点滅パターン（２）５４に対応する制御信号を出力する。これらの点滅パターン（１）５３、点滅パターン（２）５４は、デジタルカメラ２０のＩＰアドレス、ＭＡＣアドレス、又はシリアル番号のいずれかに対応し、デジタルカメラ２０を固有に識別可能な信号である。ユニークパターンは、ユニークパターンのスタートを示す点滅パターンを先頭に、エンドを示す点滅パターンを最後にそれぞれ含んでも良い。
【００７２】
ＬＥＤ５２は点滅パターンに沿ってダイナミック点灯し、ユニークパターンとしての点滅パターン５３、５４が出力される。
【００７３】
次に、図５（ｂ）に基づいて、プリンタ３０の入力Ｉ／Ｆ部４０の受光回路の回路構成について説明する。図５（ｂ）は、受光回路の例を示す回路構成図である。
【００７４】
図５（ｂ）では、プリンタ３０に内蔵され、制御部３１を構成するマイコン３１、アンプ８１、電源部３２、フォトトランジスタ４３、及び各種抵抗が接続されている。フォトトランジスタ４３には、電源３２にから電圧が印加されている。フォトトランジスタ４３は、デジタルカメラ２０の出力する可視光を受光し、光電変換する。これにより、生じた電流は、アンプ８１によって増幅され、マイコン３１のＡ／Ｄポートに備わるＡ／Ｄコンバータによってデジタル信号に変換される。
【００７５】
次に、図７に基づいてデジタルカメラ２０の制御部２２が実行する制御プログラムを説明する。制御プログラムは、デジタルカメラ２０を固有に識別可能なユニークパターンを生成する生成部２２ａと、生成部２２ａが生成したユニークパターンに基づいて表示部２５の点滅パターンを制御するパターン制御部２２ｂと、通信部２９を介してユニークパターンに基づく接続認証後にプリンタ３０との間の無線通信制御を行う第一通信制御部２２ｃと、を備える。制御部２２は、これらの制御プログラムをメモリ部２７上にロードし、ＣＰＵによって実行する。
【００７６】
次に、図８に基づいてプリンタ３０の制御部３１が実行する制御プログラムを説明する。制御プログラムは、入力Ｉ／Ｆ部４０からユニークパターンの入力を受け付ける入力部３１ａと、入力されたユニークパターンに基づいてデジタルカメラ２０の接続認証を行う認証部３１ｂと、接続認証後、通信部４１によるデジタルカメラ２０との間の無線通信制御を行う第二通信制御部３１ｃと、を備える。制御部３１は、これらの制御プログラムをメモリ部３７上にロードし、ＣＰＵによって実行する。
【００７７】
〔処理の流れ〕
次に、本実施形態に係る処理の流れを説明する。デジタルカメラ２０は、既存のＬＣＤ５１のバックライト５１ｂのまたは表示用（パワー用）ＬＥＤ５２の点灯周期を、デジタルカメラ２０の機器個々のユニークパターンで周期的に点滅させ、その点滅パターンをプリンタ３０側が認識し、接続認証を行なう。
【００７８】
図９は、接続認証の処理の流れを示すフローチャートである。まず、図９（ａ）に基づいて、デジタルカメラ２０が、接続認証のための所定の点滅パターンをプリンタ３０に出力する処理について説明する。図９（ａ）は、デジタルカメラ２０が所定の点滅パターンをプリンタ３０に出力する処理の流れを示すフローチャートである。
【００７９】
（ステップＳ１１）
ユーザは、デジタルカメラ２０に電源を投入する（Ｓ１１）。
【００８０】
（ステップＳ１２)
制御部２２は、デジタルカメラ２０のシステムを初期化する（Ｓ１２）。生成部２２ａは、デジタルカメラ２０を固有に識別可能なユニークパターンとして所定の点滅パターンを生成する。
【００８１】
（ステップＳ１３）
パターン制御部２２ｂは、ステップＳ１１で生成された点滅パターンに基づいて表示部２５（ＬＣＤ５１のバックライト５１ｂ又はＬＥＤ５２）が点滅するように制御する。これにより、表示部２５は、ユニークパターンに従って可視光を点滅発光させる（Ｓ１３）。
【００８２】
（ステップＳ１４）
デジタルカメラ２０は、接続認証が完了するまで待機状態を維持する。
【００８３】
次に、図９（ｂ）に基づいて、プリンタ３０が、所定の点滅パターンに基づいてデジタルカメラ２０を接続認証する処理について説明する。図９（ｂ）は、プリンタ３０がデジタルカメラ２０を接続認証する処理の流れを示すフローチャートである。
【００８４】
（ステップＳ２１）
ユーザは、プリンタ３０に電源を投入する（Ｓ２１）。
【００８５】
（ステップＳ２２)
制御部３１は、プリンタ３０のシステムを初期化する（Ｓ２２）。
【００８６】
（ステップＳ２３)
入力Ｉ／Ｆ部４０は、デジタルカメラ２０による可視光の受光状態にする（Ｓ２３）。
【００８７】
（ステップＳ２４)
制御部３１は、可視光の入力の有無を判定する（Ｓ２４）。ユーザが、フォトトランジスタ４３を備えるプリンタ３０の受光面（入力Ｉ／Ｆ部４０）にＬＣＤ５１のバックライト５１ｂ又はＬＥＤ５２の点灯部を近接させると、受光面からユニークパターンで点滅発光する可視光を受光する。この場合は、「Ｙｅｓ」に該当しＳ２５に進む。受光していない場合には「Ｎｏ」に該当しＳ２４に戻る。
【００８８】
（ステップＳ２５）
認証部３１ｂは、点滅パターンに基づいてデジタルカメラ２０の接続認証を行う（Ｓ２５）。認証部３１ｂは、入力Ｉ／Ｆ部４０を介して入力部３１ａが取得したユニークパターンを解析し、デジタルカメラ２０を固有に識別する。ユニークパターンがＩＰアドレスやＭＡＣアドレスを示しているときには、解析値を元に通信プロトコルに沿って接続認証を行う。
【００８９】
一方、点滅パターンが、デジタルカメラ２０のシリアル番号に対応する場合には、プリンタ３０はシリアル番号とそのデジタルカメラ２０とを関連づけたテーブルを初回の接続時に生成し、以後、解析値とそのテーブルとを参照することにより接続認証を行う。
【００９０】
（ステップＳ２６乃至Ｓ２７）
認証部３１ｂは接続認証を完了し（Ｓ２６）、プリンタ３０は待機状態を維持する（Ｓ２７）。
【００９１】
上記の接続認証処理後、デジタルカメラ２０の通信部２７とプリンタ３０の通信部４１との間で無線通信路を確立し、画像データなどの大容量データを送受信する。
【００９２】
上記実施形態によれば、デジタルカメラ２０などの通信装置は遠距離用の通信装置（無線通信装置）のみの搭載で済む。接続認証には従来の機器に搭載しているＬＣＤ５１のバックライト５１ｂやＬＥＤ５２を使用し、その点滅パターンをプリンタ３０などの通信装置が簡単な回路で認識する事で機器特定を行ない、接続認証を行なうことができる。
これにより、認証接続用の専用のハードウエアを必要とせず、無線通信システムにおいて、ＬＣＤ５１やＬＥＤ５２をプリンタ３０に近づけるだけの簡単な操作で、コストアップすることなく機器同士の接続認証が可能となる。
【００９３】
なお、上記では、点滅パターンとして、点灯と消灯とを繰り返すパターンについて説明したが、点滅パターンは発光強度を示す発光レベルや光色が変化するものであってもよい。
【００９４】
＜第二実施形態＞
第二実施形態は、ユーザの聴覚を通じて情報提供をしたり注意を喚起したりする報知手段、例えばビープ音を発生する音声発生装置を用いて接続認証を行う実施態様である。
【００９５】
〔システムの概略構成〕
図１０に基づいて、デジタルカメラ２０のハードウエア構成について説明する。図１０は、デジタルカメラ２０の構成を示す概略ブロック図である。
【００９６】
デジタルカメラ２０は、音声部６１を更に備える。音声部６１は、スピーカー、マイク（報知手段）で構成され、音声の記録及び記録された音声の再生出力を行う。デジタルカメラ２０は、音声部６１によって所定の音声パターンに基づく音声を発生する。
【００９７】
デジタルカメラ２０の制御プログラムは、生成部２２ａにおいてユニークパターンの周波数成分を有する信号を生成し、パターン制御部２２ｂが音声部６１からそのユニークパターンを有する音声信号を出力する。
【００９８】
次に、図１１に基づいて、プリンタ３０のハードウエア構成について説明する。図１１は、プリンタ３０の構成を示す概略ブロック図である。
【００９９】
プリンタ３０は、音声Ｉ／Ｆ部７１を更に備える。音声Ｉ／Ｆ部７１は、音声を入力するためのマイク（入力手段）で構成される。
【０１００】
また、プリンタ３０の制御プログラムの認証部３１ｂは、マイクから入力された音声に基づいて接続認証を行うが、その際、マイクから入力された音声に対してフーリエ変換（ＦＦＴ）処理を行い、固有の周波数信号を抽出してもよい。
【０１０１】
次に、図１２に基づいて、音声パターンを用いた接続認証動作について説明する。図１２は、音声パターンを用いた接続認証動作について説明する模式図である。本実施形態では、デジタルカメラ２０に備わっている既存のスピーカー８４を用い、機器個々のパターンで周期的に音声出力（例えば、ビープ音）させ、そのユニークパターンを受け側（プリンタ３０側）がマイク８５で受け取り、認識し接続認証を行なう。音声パターンは、デジタルカメラ２０のソフトウエア変更で、個々の機器で異なるパターンで発生させる事が可能である。
【０１０２】
図１２（ａ）は、デジタルカメラ２０の音声部６１のハードウエア構成を示す図である。
【０１０３】
図１２（ａ）では、マイコン２２、音声ＩＣ８２、アンプ８３、及びスピーカー８４が接続されている。マイコン２２は音声パターン１、２に対応する制御信号を音声ＩＣ８２に送信する。音声ＩＣは８２音声信号を発生し、その音声信号はアンプ８３によって増幅され、スピーカー８４に送信される。スピーカー８４は音声を出力する。
【０１０４】
これにより、音声パターン１、２（音声出力を１、音声停止を０で示す）が生成され、一定間隔の特定周期で出力される。音声パターンはセキュリティの面で固定パターンだけではなく、複合的な音声信号でも良く、受信側（プリンタ３０）がＦＦＴ処理により、周波数変換して固有のＩＤパターンを生成しても良い。
【０１０５】
図１２（ｂ）は、プリンタ３０の音声Ｉ／Ｆ部７１のハードウエア構成を示す図である。図１２（ｂ）では、プリンタ３０に内蔵されているマイク８５、フィルタ８６、アンプ８７、及びマイコン３１が接続されている。マイク８５は、スピーカー８４の音声を受信し、音声信号を生成する。音声信号はフィルタ８６を通過し、アンプ８７によって増幅され、マイコン３１に入力される。マイコン３１では、Ａ／Ｄポートにて、入力された音声信号がデジタル信号に変換される。これにより、音声パターン１、２（音声出力を１、音声停止を０で示す）がプリンタ３０に受信される。
【０１０６】
〔処理の流れ〕
次に、図１３に基づいて処理の流れを説明する。図１３は、音声パターンを用いた接続認証の処理の流れを示すフローチャートである。まず、図１３（ａ）に基づいて、デジタルカメラ２０が、接続認証のための音声パターンをプリンタ３０に送信する処理について説明する。図１３（ａ）は、デジタルカメラ２０が音声パターンをプリンタ３０に送信する処理の流れを示すフローチャートである。
【０１０７】
（ステップＳ３１乃至Ｓ３２）
Ｓ１１乃至Ｓ１２と同様に、ユーザはデジタルカメラ２０に電源を投入し（Ｓ３１）、システムを初期化する（Ｓ３２）。
【０１０８】
（ステップＳ３３）
ユーザは操作部２８の釦を長押しする。生成部２２ａは、ユニークパターンとして所定の音声パターンを生成する。パターン制御部２２ｂは、スピーカー８４を介して音声パターンに基づく音声を発生させる（Ｓ３３）。
【０１０９】
（ステップＳ３４）
デジタルカメラ２０は、接続認証が完了するまで待機状態を維持する。
【０１１０】
次に、図１３（ｂ）に基づいて、プリンタ３０が、音声パターンに基づいてデジタルカメラ２０を接続認証する処理について説明する。図９（ｂ）は、プリンタ３０がデジタルカメラ２０を接続認証する処理の流れを示すフローチャートである。
【０１１１】
（ステップＳ４１乃至Ｓ４２）
Ｓ２１乃至Ｓ２２と同様に、ユーザーはプリンタ３０に電源を投入し（Ｓ４１）、システムを初期化する（Ｓ４２）。
【０１１２】
（ステップＳ４３)
音声Ｉ／Ｆ部７１は、音声の検知状態を維持する（Ｓ４３）。入力部は、マイク８５を介してデジタルカメラ２０からの音声の入力を受け付ける。
【０１１３】
（ステップＳ４４)
制御部３１は、音声パターンの入力の有無を判定する（Ｓ４４）。ユーザがＳ３３でボタン長押操作を行い、認証音声を出力させながらデジタルカメラ２０のスピーカー８４をプリンタ３０側のマイク８５に近接させると、音声Ｉ／Ｆ部７１を介して入力部３１ａが音声の入力を受け付る。この場合は、「Ｙｅｓ」に該当しＳ４５に進む。そうでない場合には「Ｎｏ」に該当し、Ｓ４４を継続する。
【０１１４】
（ステップＳ４５）
認証部３１ｂは、音声パターンに基づいて、デジタルカメラ２０との無線通信の接続認証を実施する（Ｓ４５）。認証部３１ｂは、マイクから入力された音声に対してフーリエ変換処理を行い、固有の識別情報を抽出する。
【０１１５】
（ステップＳ４６乃至Ｓ４７）
Ｓ２６乃至Ｓ２７と同様に、認証部は接続認証を完了し（Ｓ４６）、プリンタ３０は待機状態を維持する（Ｓ４７）。
【０１１６】
上記の接続認証処理によって、無線通信の回線が確立し、デジタルカメラ２０とプリンタ３０との間の無線通信が実施される。
【０１１７】
上記実施形態によれば、デジタルカメラ２０などの通信装置は遠距離用の通信装置（無線通信装置）のみの搭載で済み、接続認証用は従来の機器に搭載している音声の出力装置を使用し、その音声パターンをプリンタ３０などの通信装置が簡単な回路で認識する事で機器特定を行ない、接続認証を行なうことができる。これにより、認証用の専用のハードウエアを必要としないので、無線通信システムにおいて、コストアップすることなく簡単な操作によって、機器同士を接続認証できる。
【０１１８】
なお、上記では、音声パターンとして、発声と停止とを繰り返すパターンについて説明したが、音声パターンは音圧レベル、音程、音色が変化するものであってもよい。
【０１１９】
＜第三実施形態＞
第三実施形態は、報知手段としてユニークパターンで振動するバイブレータ（振動装置）を用いる実施形態である。
【０１２０】
〔システムの概略構成〕
図１４に基づいて、携帯電話９０のハードウエア構成について説明する。図１４は、携帯電話９０の構成を示す概略ブロック図である。
【０１２１】
本実施形態では、制御部２２は、携帯電話９０の各種制御を行なうＣＰＵをコアとし、撮像部２１からの画像データや記録媒体２４からの画像データを各種画像処理／変換し、表示用データや記録用データを生成する。また、通話や各種モードに応じた動作を制御する。
【０１２２】
記録媒体２４は、取り外し可能な記録用のメディアまたは携帯電話９０内に組み込まれた記録用メディアでメモリ、ＨＤＤ、ＤＶＤなどの書込み消去可能な大容量のストレ−ジである。撮影され、画像処理された画像データやテキストデータ、各種情報が格納される。
【０１２３】
操作部２８は、ＫＥＹ、タッチパネル、等のユーザｌ／Ｆで構成される。操作部２８によって入力された信号は制御部のＣＰＵに送られる。この操作部２８の状態によって、携帯電話９０の動作、モードが設定され制御される。音声部６１は、スピーカー、マイクで構成され、通話の為の音声入力及び受信した音声の出力を行なう。ＲＦ部９１は、アンテナ及び携帯通信用のｌ／Ｆモジュールで構成され、通話の為の送受信を行なう。
【０１２４】
振動部９２は、モーターで構成され、バイブレータ機能を有する。
【０１２５】
通信部２９は、画像データを無線送受信する機能を有する。  
【０１２６】
次に、図１５に基づいて、プリンタ３０のハードウエア構成について説明する。図１５は、プリンタ３０の構成を示す概略ブロック図である。
【０１２７】
プリンタ３０は、振動検知部９３を備える。振動検知部９３は、ショックセンサー等で構成され、携帯電話９０や他機種からの振動パターンを検出し、マイコン内で処理し、データ検出して接続認証する。
【０１２８】
次に、図１６に基づいて、振動パターンを用いた接続認証動作について説明する。図１６は、振動パターンを用いた接続認証動作について説明する模式図である。本実施形態では、携帯電話９０のバイブレータ機能を用い、機器個々のパターンで周期的に振動状態を変化させ、そのユニークパターンを受け側（プリンタ３０側）がショックセンサー９３ａで受け取り、認識し接続認証を行なう。なお、ソフトウエア変更によって、個々の機器を異なるパターンで振動させる事が可能である。
【０１２９】
図１６（ａ）は、携帯電話９０の振動部９２のハードウエア構成を示す図である。図１６（ａ）では、マイコン２２、モータドライバ９５、及びバイブレータ９６が接続されている。マイコン２２（パターン制御部２２ｂ）は振動パターン９７、９８に対応する制御信号をモータドライバ９５に出力する。モータドライバ９５は、バイブレータ９６のモーター９６ａを駆動し、携帯電話９０を振動させる。これにより、振動パターン９７、９８（振動を１、停止を０で示す）に基づく機械的な振動が発生し、一定間隔の特定周期で出力される。
【０１３０】
図１６（ｂ）は、プリンタ３０の振動検知部９３のハードウエア構成を示す図である。図１６（ｂ）では、ショックセンサー９３ａ、アンプ９３ｂ、及びマイコン３１が接続されている。ショックセンサー９３ａは、携帯電話９０の振動を感知して、受信信号を生成する。受信信号はアンプ９３ｂによって増幅され、マイコン３１（入力部３１ａ）に入力される。マイコン３１では、Ａ／Ｄポートにて、入力された受信信号がデジタル信号に変換される。これにより、振動パターン９７、９８がプリンタ３０に感知される。
【０１３１】
なお、振動パターンは、第一実施形態と同様に携帯電話９０のＭＡＣアドレス、ＩＰアドレス、またシリアル番号でも良い。また、振動パターンは、セキュリティの面で固定パターンだけでなく、複合的な振動でも良く、受信側（プリンタ３０）がＦＦＴ処置により、周波数変換して固有のＩＤパターンを生成してもよい。
【０１３２】
〔処理の流れ〕
次に、図１７に基づいて処理の流れを説明する。図１７は、振動パターンを用いた接続認証の処理の流れを示すフローチャートである。まず、図１７（ａ）に基づいて、携帯電話９０が、接続認証のための振動パターンをプリンタ３０に送信する処理について説明する。図１７（ａ）は、携帯電話９０が振動パターンをプリンタ３０に送信する処理の流れを示すフローチャートである。
【０１３３】
（ステップＳ５１乃至Ｓ５２）
Ｓ１１乃至Ｓ１２と同様に、ユーザは、携帯電話９０に電源を投入し（Ｓ５１）、システムを初期化する（Ｓ５２）。
【０１３４】
（ステップＳ５３）
ユーザは、操作部２８の釦を長押しする。生成部２２ａは、ユニークパターンとして所定の振動パターンを生成し、パターン制御部２２ｂはバイブレータ９６に振動パターンに基づく機械的な振動を発生させる（Ｓ５３）。
【０１３５】
（ステップＳ５４）
携帯電話９０は、接続認証が完了するまで待機状態を維持する。
【０１３６】
次に、図１７（ｂ）に基づいて、プリンタ３０が、振動パターンに基づいて携帯電話９０を接続認証する処理について説明する。図１７（ｂ）は、プリンタ３０が携帯電話９０を接続認証する処理の流れを示すフローチャートである。
【０１３７】
（ステップＳ６１乃至Ｓ６２）
Ｓ２１乃至Ｓ２２と同様に、ユーザーはプリンタ３０に電源を投入し（Ｓ６１）、システムを初期化する（Ｓ６２）。
【０１３８】
（ステップＳ６３)
音声Ｉ／Ｆ部７１は、音声の検知状態を維持する（Ｓ６３）。入力部は、ショックセンサー９３ａを介して携帯電話９０からの振動を感知する。
【０１３９】
（ステップＳ６４)
制御部３１は、振動パターンの入力の有無を判定する（Ｓ６４）。ユーザがステップＳ５３で認証振動を発生させて、携帯電話９０のバイブレータ９６をプリンタ３０側のショックセンサー９３ａ上に載置する。入力部３１ａが振動パターンを感知した場合は「Ｙｅｓ」に該当し、Ｓ６５に進む。入力部３１ａが振動パターンを感知していない場合は「Ｎｏ」に該当し、Ｓ６４を継続する。
【０１４０】
（ステップＳ６５）
認証部３１ｂは、感知した振動パターンに基づいて、携帯電話９０との無線通信の接続認証を実施する（Ｓ６５）。
【０１４１】
振動パターンは、ＭＡＣアドレス、ＩＰアドレス、シリアル番号などを示す。
【０１４２】
（ステップＳ６６乃至Ｓ６７）
Ｓ２６乃至Ｓ２７と同様に、認証部３１ｂは接続認証を完了し（Ｓ６６）、プリンタ３０は待機状態を維持する（Ｓ６７）。
【０１４３】
上記の接続認証処理によって、無線通信の回線が確立し、携帯電話９０とプリンタ３０との間の無線通信が実施される。
【０１４４】
上記実施形態によれば、携帯電話９０などの通信装置は遠距離用の通信装置（無線通信装置）のみの搭載で済み、接続認証用は従来の機器に搭載しているバイブレータ９６を使用し、その振動パターンをプリンタ３０などの通信装置が簡単な回路で認識する事で機器特定を行ない、接続認証を行なうことができる。これにより、認証用の専用のハードウエアを必要としないので、無線通信システムにおいて、コストアップすることなく簡単な操作によって、機器同士を接続認証できる。
【０１４５】
なお、上記では、振動パターンとして、振動と停止とを繰り返すパターンについて説明したが、振動パターンは振動強度や振動周波数が変化するものであってもよい。
【０１４６】
＜第四実施形態＞
本実施形態は、無線通信を行うデジタルカメラ２０又は携帯電話９０（第一通信装置）と、店頭端末機（第二通信装置）との間で接続認証を実施する形態である。
【０１４７】
図１８は、本発明に係る店頭端末機１５の斜視図である。この店頭端末機１５は、ユーザがお金を投入し、デジタルカメラ２０又は携帯電話９０に格納されているデジタル画像をＴＡペーパーなどの印刷媒体にプリントするマシンである。店頭端末機１５は、写真店、書店、スーパーなどの各種店舗の店頭に設置された店頭情報端末であり、平常はプリントを購入するユーザが店員の補助なく単独で使用する。
【０１４８】
店頭端末機１５の内部には、プリンタ３０が設置されており、プリンタ３０がデジタル画像をプリントするようになっている。店頭端末機１５の正面外側には、プリントされた印刷媒体が排出される取出口１３が設けられ、また、コインマシンにコインや紙幣あるいはプリペイドカードなどの決済手段を投入する投入口１４及びコインマシンが釣り銭を返却する返却口１２が設けられている。
【０１４９】
店頭端末機１５側の操作面１６ｂには、ショックセンサー９３ａを内蔵する振動検知部９３、フォトトランジスタ４３を内蔵する入力Ｉ／Ｆ部４０、マイク８５を内蔵する音声Ｉ／Ｆ部７１が設置される。
【０１５０】
表示装置１６ａには、接続認証を実施するためのメッセージが表示される。例えば、メッセージ「デジタルカメラを下部の中央にかざしてください」が表示される。ユーザは、店頭端末機１５の所定の部位にデジタルカメラ２０又は携帯電話９０をかざす又は載置して、接続認証を実施する。
【０１５１】
第一実施形態に記載の点滅パターンを用いた接続認証を実施する場合には、フォトトランジスタ４３に、デジタルカメラ２０又は携帯電話９０を近接させる。第二実施形態に記載の音声パターンを用いた接続認証を実施する場合には、マイク８５に携帯電話９０又はデジタルカメラ２０を近接させる。第三実施形態に記載の振動パターンを用いた接続認証を実施する場合には、ショックセンサー９３ａにデジタルカメラ２０又は携帯電話９０を載置する。
【０１５２】
店頭端末機１５側はデジタルカメラ２０又は携帯電話９０が近くにあって、ＬＣＤ５１またはＬＥＤ５２の点滅パターンを認識している時、スピーカー８４の音声パターンを認識している時、又は、バイブレータ９６の振動パターンを認識している時にのみ、無線通信が可能であるようにする。接続認証によって確立された無線回線を介して、デジタルカメラ２０又は携帯電話９０から画像データが送信される。なお、ユーザは、デジタルカメラ２０又は携帯電話９０から、挿入口１１にスマートメディアなどの記録媒体２４を挿入して店頭端末機１５に画像データを送信してもよい。
【０１５３】
店頭端末機１５には、正面にタッチパネル１６の積層された液晶型の表示装置１６ａが配設されており、ユーザは表示装置１６ａを見ながらタッチパネル１６を操作してプリントサイズ、プリント枚数などの必要な情報を入力する。
【０１５４】
店頭端末機１５が画像データをデジタルカメラ２０又は携帯電話９０から取得すると、制御部３１は、記録媒体３９に記録されている制御用のソフトウエアをメモリ部３７にロードする。制御部３１は、所要の画像データを取得すると所要の画像処理（例えば、圧縮画像の伸張）を施し、画像処理後の画像データをメモリ部３７に記憶させる。
【０１５５】
ユーザは、プリントする画像の選択、プリント枚数、プリント種類など、プリント注文に関する各種の情報をタッチパネル１６から入力する。プリントの種類としては、＜デジカメプリント／分割プリント／シールプリント／インデックスプリント＞などを指定できる。なお、分割プリントについては画面分割数として、＜１６分割／４分割／２分割／分割無し＞などを指定できる。
【０１５６】
プリントサイズ、プリント枚数などの注文に関する情報は、図示しないタッチパネルインターフェイス（Ｉ／Ｆ）部を介して制御部３１に入力される。制御部３１は、必要な金額が投入されたら、メモリ部３７に格納されている画像データからプリントジョブデータを作成し、プリント処理を実行する。そして、画像がプリントされた印刷媒体が取出口１３から排出される。
【０１５７】
これにより、プリンタ３０などのホームプリンタと店頭端末機１５とにおいて、同様のハードウエア構成で接続認証を実現できる。また、店頭端末機１５が複数台存在する場所において、本発明を適用した接続認証により通信相手を特定するので、他機器への誤通信を防ぐことができる。
【０１５８】
さらに、従来から有るハードウエアを使用して接続認証を実現できコストアップ発生が無い。また、専用または特殊なプロトコル及び複雑なソフト追加／変更を必要とせず、ソフトウエアの開発負荷を軽減できる。送信側のデジタルカメラ２０又は携帯電話９０は、ハードウエアを追加することなく、且つ、受信側の店頭端末機１５は、受光回路（フォトトランジスタ４３、マイク８５、ショックセンサー９３ａ等の低コストの部品）のみの構成で実現でき、簡単接続認証の実現が可能である。
【０１５９】
なお、上記で説明したデジタルカメラ２０、プリンタ３０、携帯電話９０、店頭端末機１５に限らず、無線接続路を確立するための接続認証を実施する装置であれば、本発明を適用することができる。
【図面の簡単な説明】
【０１６０】
【図１】本発明を適用した無線通信システムのハードウエア構成を示す構成図。
【図２】デジタルカメラの背面図。
【図３】デジタルカメラの構成を示す概略ブロック図。
【図４】プリンタの構成を示す概略ブロック図。
【図５】デジタルカメラの発光回路及びプリンタの受光回路について説明する模式図。
【図６】点滅パターンを示す模式図。
【図７】デジタルカメラに格納される制御プログラムのブロック図。
【図８】プリンタ装置に格納される制御プログラムのブロック図。
【図９】接続認証の処理の流れを示すフローチャート。
【図１０】デジタルカメラの構成を示す概略ブロック図。
【図１１】プリンタの構成を示す概略ブロック図である。
【図１２】音声パターンを用いた接続認証動作について説明する模式図。
【図１３】音声パターンを用いた接続認証の処理の流れを示すフローチャート。
【図１４】携帯電話の構成を示す概略ブロック図。
【図１５】プリンタ３０の構成を示す概略ブロック図。
【図１６】振動パターンを用いた接続認証動作について説明する模式図。
【図１７】振動パターンを用いた接続認証の処理の流れを示すフローチャート。
【図１８】第四実施形態に係る店頭端末機１５の斜視図。
【符号の説明】
【０１６１】
１０：無線通信システム、２０：デジタルカメラ、２１：撮像部、２２：制御部、２３：外部Ｉ／Ｆ部、２４：記録媒体、２５：表示部、２６：電源部、２７：メモリ部、２８：操作部、３０：プリンタ、３１：制御部、３２：電源部、３３：外部Ｉ／Ｆ部、３４：表示部、３５：印画部、３６：駆動部、３７：メモリ部、３８：操作部、３９：記録媒体、４０：入力Ｉ／Ｆ部、４３：フォトトランジスタ、５１：ＬＣＤ、５２：ＬＥＤ、６１：音声部、７１：音声Ｉ／Ｆ部、８４：スピーカー、８５：マイク、９０：携帯電話、９２：振動部、９３：振動検知部、９６：バイブレータ、９３ａ：ショックセンサー
【図１】
2007249425.tif 000003
【図２】
2007249425.tif 000004
【図３】
2007249425.tif 000005
【図４】
2007249425.tif 000006
【図５】
2007249425.tif 000007
【図６】
2007249425.tif 000008
【図７】
2007249425.tif 000009
【図８】
2007249425.tif 000010
【図９】
2007249425.tif 000011
【図１０】
2007249425.tif 000012
【図１１】
2007249425.tif 000013
【図１２】
2007249425.tif 000014
【図１３】
2007249425.tif 000015
【図１４】
2007249425.tif 000016
【図１５】
2007249425.tif 000017
【図１６】
2007249425.tif 000018
【図１７】
2007249425.tif 000019
【図１８】
2007249425.tif 000020